(57)【要約】  本発明は、燃焼が不安定になりがちな廃棄物の適切な処理を継続して行うことができる流動床炉及び廃棄物の処理方法に関する。流動床炉（１）は、廃棄物を下方に移動させながら熱分解して熱分解残渣を生成する移動層（２１）及び熱分解残渣の一部を燃焼させる流動層（２２）と、移動層用気体供給手段（５０）と、流動層用気体供給手段（６０）と、移動層温度検出器（３１）と、流動層温度検出器（３２）と、制御装置（８０）とを備える。制御装置（８０）は、流動層（２２）の温度が所定の温度となる流量の流動層用気体（Ａ２）を流動層（２２）に供給し、移動層（２１）の温度が流動層（２２）の温度よりも所定の温度低くなる流量の移動層用気体（Ａ１）を移動層（２１）に供給する制御を行う。
2012066802.tif 000002
【特許請求の範囲】
【請求項１】
投入された廃棄物を流動媒体中に取り込んで、前記廃棄物を前記流動媒体と共に下方に移動させながら熱分解して熱分解残渣を生成する移動層と、前記移動層から前記流動媒体及び熱分解残渣を受け入れて前記熱分解残渣の少なくとも一部を燃焼させると共に前記流動媒体を上方へ移動させる流動層とを有し、前記流動媒体が前記移動層と前記流動層との間を循環する流動床と；
前記移動層の前記流動媒体を流動させる移動層用気体を供給する移動層気体供給口が形成された移動層床板と；
前記流動層の前記流動媒体を流動させると共に前記少なくとも一部の熱分解残渣の燃焼に用いられる酸素を含む流動層用気体を供給する流動層気体供給口が形成された流動層床板と；
前記移動層に前記移動層用気体を送る移動層用気体供給手段であって、前記移動層用気体の流量を調節可能な移動層用気体供給手段と；
前記流動層に前記流動層用気体を送る流動層用気体供給手段であって、前記流動層用気体の流量を調節可能な流動層用気体供給手段と；
前記移動層の温度を検出する移動層温度検出器と；
前記流動層の温度を検出する流動層温度検出器と；
前記流動層用気体供給手段により前記流動層に供給する前記流動層用気体の流量を調節して、前記流動層温度検出器で検出される温度が所定の温度となるように前記流動層の温度を制御し、かつ、前記移動層用気体供給手段により前記移動層に供給する前記移動層用気体の流量を調節して、前記移動層温度検出器で検出される温度が前記流動層温度検出器で検出される温度よりも所定の温度低くなるように前記移動層の温度を制御する制御装置とを備える；
流動床炉。
【請求項２】
前記流動層の所定の温度は、５００℃〜６５０℃である請求項１に記載の流動床炉。
【請求項３】
前記流動層と前記移動層の所定の温度差は、３０℃〜１００℃である請求項１に記載の流動床炉。
【請求項４】
垂直断面において前記流動層が前記移動層の両脇に設けられ；
前記垂直断面において、前記移動層床板が、高い中央部から両脇の前記流動層に向かってそれぞれ下がるように山形に形成されると共に、隣接する前記移動層床板と前記流動層床板とが連続して配置された；
請求項１に記載の流動床炉。
【請求項５】
前記垂直断面における前記移動層床板の中央部が、前記移動層に不燃物が堆積することを防ぐことができる勾配に形成された；
請求項４に記載の流動床炉。
【請求項６】
流動媒体が下降する移動層と流動媒体が上昇する流動層との間を前記流動媒体が循環する流動床で廃棄物を処理する方法であって；
前記移動層に移動層用気体を供給し、前記流動層に流動層用気体を供給する気体供給工程と；
廃棄物を前記移動層に投入する廃棄物投入工程と；
投入された前記廃棄物を、加熱された前記流動媒体により前記移動層で熱分解して熱分解残渣を生成し、前記熱分解残渣の少なくとも一部を前記流動層で燃焼させる熱反応工程と；
前記流動層の温度が所定の温度となるように、前記流動層に供給する前記流動層用気体の流量を調節する流動層用気体流量調節工程と；
前記移動層の温度が前記流動層の温度よりも所定の温度低くなるように、前記移動層に供給する前記移動層用気体の流量を調節する移動層用気体流量調節工程とを備える；
廃棄物の処理方法。
【請求項７】
前記流動層の所定の温度は、５００℃〜６５０℃である請求項６に記載の廃棄物の処理方法。
【請求項８】
前記流動層と前記移動層の所定の温度差は、３０℃〜１００℃である請求項６に記載の廃棄物の処理方法。
【発明の詳細な説明】
【技術分野】
【０００１】
本発明は流動床炉及び廃棄物の処理方法に関し、特に燃焼が不安定になりがちな廃棄物の適切な処理を継続して行うことができる流動床炉及び廃棄物の処理方法に関する。
【背景技術】
【０００２】
廃棄物を処理する装置に、未燃物の発生を抑制した処理を効率よく行うことができて装置構成も比較的小型にできる利点を有する装置として、流動床炉がある。
流動床炉は流動媒体（砂等）の大きな熱容量を利用して、高温に熱した流動媒体中に廃棄物を投入し、廃棄物の乾燥、熱分解および燃焼を短時間に行なわせるもので、流動床焼却炉や流動床ガス化溶融炉（流動床式ガス化炉と溶融燃焼炉とで構成される）に用いられている。
廃棄物処理に流動床炉を用いる場合には、流動媒体の流動状態を保ち、流動床の温度を均一に保ち、安定した反応を継続して行なわせるように使用されてきた。
流動床で廃棄物処理を行なう場合に、廃棄物中の不燃物が流動床中に堆積すると、流動不良を生じ、不燃物堆積部を流動化ガスが吹き抜けてしまい、流動媒体の流動化が保てなくなることがある。このような場合には流動床中で温度分布を生じ、複数個所の炉床温度測定値に温度差が生じることになる。
このため、流動床の複数箇所における温度を計測し、温度差が生じた場合に、温度が下がった箇所の流動化空気量を増加させて流動化を活発にして流動状態を改善し、流動床の温度を均一化する技術が開示されている（例えば、特許文献１参照）。【０００３】
また、流動床炉として、砂等からなる流動媒体に、中央部よりも周辺部の方の質量速度が大きくなるように流動化ガスを供給することにより、炉の中央部に流動媒体の沈降拡散する移動層が形成され、炉内周辺部に流動媒体が活発に流動化している流動層が形成され、移動層では主に廃棄物のガス化を行い、流動層では主に未燃物の燃焼が行われるように構成されたものがある（例えば、特許文献２参照）。
特許文献２に記載された流動床炉においても、「流動層炉の循環流により熱が拡散されるので、高負荷とすることができ、」（段落〔００５８参照〕）と記載されているように、流動床炉温度を均一に保つことを前提としている。
流動床で廃棄物を処理する場合には、廃棄物は高温に熱せられた流動媒体から瞬時に熱を受け、短時間に乾燥、熱分解、燃焼等の反応が進行する。そのため、廃棄物中の可燃分が流動床中で短時間に熱分解し不燃物から分離され、未燃物の付着しないきれいな不燃物が炉外に排出される。しかしながら、乾燥、熱分解、燃焼等の反応が短時間に行われるため、炉に供給される廃棄物の量や質の変動は、燃焼における水分蒸発量の変動や可燃物量の変動に直結し、燃焼状態を安定に保つことが困難とされていた。
【先行技術文献】
【特許文献】
【０００４】
【特許文献１】特開２００７−１１３８８０号公報
【特許文献２】特開２００４−２５１６１８号公報
【発明の概要】
【発明が解決しようとする課題】
【０００５】
このような流動床炉を用いた廃棄物処理における変動を抑制するために、炉床温度の低温化や流動空気量を減じて流動化を抑制し流動媒体から廃棄物への熱伝達速度を低下させる等の工夫がなされている。しかしながら、これらの工夫は、流動床の常識である「炉床温度を均一に保つ」条件の下で行われてきた。
本発明者らは、特許文献２に記載されるような移動層と流動層とを有する流動床炉において、都市ごみ等の質や量が不均一な廃棄物を処理する際に、移動層と流動層からなる流動床の温度を均一に保つために移動層と流動層にそれぞれ供給する流動化空気量を種々変更して長期間にわたって連続運転を行う過程で以下のような知見を得たものである。すなわち、特許文献２に記載されるような移動層と流動層とを有する流動床炉において、流動床の温度の均一化のために移動層の温度を流動層の温度に近づけるべく移動層の流動化空気量を増加させて流動化を活発にした場合、温度が高くなった移動層に都市ごみ等の質や量が不均一な廃棄物が投入されると、投入された可燃物や水分の変動量に見合った燃焼量の変動や排ガス量の変動を引き起こし、炉内圧力の変動が大きくなって最適な燃焼条件を維持することが困難になる。他方、流動層の温度を移動層に近づけて流動層の流動化空気量を減じて流動層内の燃焼を抑制して流動層の温度が低くなりすぎると、移動層における廃棄物の熱分解に必要な熱量を流動媒体に与えることができず、流動床内の未燃物の量が増加して、不燃物を抜き出す際に不燃物中に未燃物が混入してしまうことがある。【０００６】
本発明者らは、上記知見に基づいて、流動床で廃棄物を処理する場合に、従来の流動床の常識であった「炉床温度を均一に保つ」のではなく、流動床の温度が特定部位において所定の差を生じる状態が最も流動床の機能を最適化できることを着想し、本発明の創案に至ったものである。すなわち、本発明者らは、移動層と流動層とを有する流動床炉においては、移動層に供給する流動化ガスの流量と流動層に供給する流動化ガスの流量とに、所定の差を設けることにより、移動層の温度と流動層の温度に所定の差を生じさせることができる可能性があることに着目し、移動層に供給する流動化ガスの流量と流動層に供給する流動化ガスの流量とを種々変更して移動層の温度と流動層の温度を個別に制御しつつ都市ごみ等の質や量が不均一な廃棄物の処理を繰り返し行うことにより本発明を創案したものである。
すなわち、本発明は、移動層と流動層とを有する流動床炉において移動層の温度と流動層の温度とを個別に制御し、移動層と流動層をそれぞれ最適な温度に制御することにより、燃焼が不安定になりがちな廃棄物の適切な処理を継続して行うことができる流動床炉及び廃棄物の処理方法を提供することを目的とする。
【課題を解決するための手段】
【０００７】
上記目的を達成するために、本発明の第１の態様に係る流動床炉は、例えば図１及び図２に示すように、投入された廃棄物Ｗを流動媒体２０Ｍ中に取り込んで、廃棄物Ｗを流動媒体２０Ｍと共に下方に移動させながら熱分解して熱分解残渣Ｗｒを生成する移動層２１と、移動層２１から流動媒体２０Ｍ及び熱分解残渣Ｗｒを受け入れて熱分解残渣Ｗｒの少なくとも一部を燃焼させると共に流動媒体２０Ｍを上方へ移動させる流動層２２とを有し、流動媒体２０Ｍが移動層２１と流動層２２との間を循環する流動床２０と；移動層２１の流動媒体２０Ｍを流動させる移動層用気体Ａ１を供給する移動層気体供給口１１ｈ（図２参照）が形成された移動層床板１１と；流動層２２の流動媒体２０Ｍを流動させると共に少なくとも一部の熱分解残渣Ｗｒの燃焼に用いられる酸素を含む流動層用気体Ａ２を供給する流動層気体供給口１２ｈ（図２参照）が形成された流動層床板１２と；移動層２１に移動層用気体Ａ１を送る移動層用気体供給手段５０、７０であって、移動層用気体Ａ１の流量を調節可能な移動層用気体供給手段５０、７０と；流動層２２に流動層用気体Ａ２を送る流動層用気体供給手段６０、７０であって、流動層用気体Ａ２の流量を調節可能な流動層用気体供給手段６０、７０と；移動層２１の温度を検出する移動層温度検出器３１と；流動層２２の温度を検出する流動層温度検出器３２と；流動層用気体供給手段６０、７０により流動層２２に供給する流動層用気体Ａ２の流量を調節して、流動層温度検出器３２で検出される温度が所定の温度となるように流動層２２の温度を制御し、かつ、移動層用気体供給手段５０、７０により移動層２１に供給する移動層用気体Ａ１の流量を調節して、移動層温度検出器３１で検出される温度が流動層温度検出器３２で検出される温度よりも所定の温度低くなるように移動層２１の温度を制御する制御装置８０とを備える。【０００８】
このように構成すると、流動層温度検出器で検出される温度が所定の温度となるように流動層の温度を制御するので、移動層における廃棄物の熱分解を適切に行うことができる温度に流動媒体を流動層において加熱することとなり、移動層に流入した流動媒体によって廃棄物の適切な熱分解が行われることとなるため、生成された熱分解残渣が脆くなって、熱分解残渣と不燃物の分離が適切に行われ、未燃物が所定の濃度を超えて不燃物と共に流出してしまうことを抑制することができる。また、移動層温度検出器で検出される温度が流動層温度検出器で検出される温度よりも所定の温度低くなるように移動層の温度を制御するので、移動層での廃棄物の処理をできるだけ緩慢に行うことができるため、燃焼が不安定になりがちな廃棄物の適切な処理を継続して行うことができる。【０００９】
本発明は、好ましくは、流動層温度検出器３２で検出される温度が廃棄物の性状に基づく所定の温度となるように流動層の温度を制御する。ここで、「廃棄物の性状に基づく所定の温度」は、典型的には、移動層に流入した流動媒体によって廃棄物の乾燥及び熱分解が適切に行われ、生成された熱分解残渣が脆くなって、流動層において未燃物が不燃物とは分離されて、不燃物と共に排出される未燃物の濃度が所定の濃度以下となるようにし、未燃物が流動層内を流動媒体と共に上昇して流動層内で燃焼することにより流動媒体を加熱し、移動層において廃棄物を適切に熱分解させるべく、移動層における当該熱分解に必要な熱量を与えることができる流動層の温度である。廃棄物の水分濃度および固定炭素含有率が高くなると「所定の温度」も高くなる。また、「所定の濃度」は、典型的には、系外に排出されることが許容される未燃物の濃度であり、０〜０．１重量％である。未燃物の濃度は、熱しゃく減量で測定される。熱しゃく減量の測定方法は環整９５号に示され、試料を乾燥後、６００℃±２５℃で３時間強熱後の減量により算出する。なお、環整９５号とは、「一般廃棄物処理事業に対する指導に伴う留意事項について」（日本国環境省昭和５２年１１月０４日環整９５号）である。【００１０】
また、本発明の好ましい態様に係る流動床炉では、前記流動層の所定の温度は、５００℃〜６５０℃である。
本発明によれば、流動層を５００℃〜６５０℃の温度に制御するので、移動層における廃棄物の熱分解を適切に行うことができる温度に流動媒体を流動層において加熱することとなり、移動層に流入した流動媒体によって廃棄物の適切な熱分解が行われることとなるため、生成された熱分解残渣が脆くなって、熱分解残渣と不燃物の分離が適切に行われ、未燃物が所定の濃度を超えて不燃物と共に流出してしまうことを抑制することができる。【００１１】
また、本発明の好ましい態様に係る流動床炉では、前記流動層と前記移動層の所定の温度差は、３０℃〜１００℃である。
本発明によれば、移動層の温度が流動層の温度よりも３０℃〜１００℃低くなるように制御するので、移動層での廃棄物の処理をできるだけ緩慢に行うことができるため、燃焼が不安定になりがちな廃棄物の適切な処理を継続して行うことができる。【００１２】
また、本発明の好ましい態様に係る流動床炉は、例えば図１に示すように、上記本発明の第１の態様に係る流動床炉１において、垂直断面において流動層２２が移動層２１の両脇に設けられ；垂直断面において、移動層床板１１が、高い中央部から両脇の流動層２２に向かってそれぞれ下がるように山形に形成されると共に、隣接する移動層床板１１と流動層床板１２とが連続して配置されている。
このように構成すると、流動媒体を移動層と流動層との間で円滑に循環させることができる。【００１３】
また、本発明の好ましい態様に係る流動床炉は、例えば図５に示すように、上記本発明の流動床炉において、垂直断面における移動層床板１１の中央部が、移動層２１に不燃物が堆積することを防ぐことができる勾配に形成されている。
このように構成すると、中央部に形成された反応が緩慢な移動層に廃棄物が堆積することを防ぐことができ、燃焼が不安定になりがちな廃棄物の継続した適切な処理をより確実に行うことができる。【００１４】
上記目的を達成するために、本発明の第２の態様に係る廃棄物の処理方法は、例えば図１及び図４を参照して示すと、流動媒体２０Ｍが下降する移動層２１と流動媒体２０Ｍが上昇する流動層２２との間を流動媒体２０Ｍが循環する流動床２０で廃棄物Ｗを処理する方法であって；移動層２１に移動層用気体Ａ１を供給し、流動層２２に流動層用気体Ａ２を供給する気体供給工程（ＳＴ１）と；廃棄物Ｗを移動層２１に投入する廃棄物投入工程（ＳＴ４）と；投入された廃棄物Ｗを、加熱された流動媒体２０Ｍにより移動層２１で熱分解して熱分解残渣Ｗｒを生成し、熱分解残渣Ｗｒの少なくとも一部を流動層２２で燃焼させる熱反応工程と；流動層２２の温度が所定の温度となるように流動層２２に供給する流動層用気体Ａ２の流量を調節する流動層用気体流量調節工程（ＳＴ５〜ＳＴ８）と；移動層２１の温度が流動層２２の温度よりも所定の温度低くなるように移動層２１に供給する移動層用気体Ａ１の流量を調節する移動層用気体流量調節工程（ＳＴ９〜ＳＴ１２）とを備える。【００１５】
このように構成すると、移動層での廃棄物の処理をできるだけ緩慢に行いつつ、移動層における廃棄物の熱分解を適切に行うことができる温度に流動媒体を流動層において加熱することとなり、移動層に流入した流動媒体によって廃棄物の適切な熱分解が行われることとなるため、生成された熱分解残渣が脆くなって、熱分解残渣と不燃物の分離が適切に行われ、未燃物が所定の濃度を超えて不燃物と共に流出してしまうことを抑制することができ、燃焼が不安定になりがちな廃棄物の適切な処理を継続して行うことができる。【００１６】
また、本発明の好ましい態様に係る廃棄物の処理方法では、前記流動層の所定の温度は、５００℃〜６５０℃である。
本発明によれば、流動層を５００℃〜６５０℃の温度に制御するので、移動層における廃棄物の熱分解を適切に行うことができる温度に流動媒体を流動層において加熱することとなり、移動層に流入した流動媒体によって廃棄物の適切な熱分解が行われることとなるため、生成された熱分解残渣が脆くなって、熱分解残渣と不燃物の分離が適切に行われ、未燃物が所定の濃度を超えて不燃物と共に流出してしまうことを抑制することができる。【００１７】
また、本発明の好ましい態様に係る廃棄物の処理方法では、前記流動層と前記移動層の所定の温度差は、３０℃〜１００℃である。
本発明によれば、移動層の温度が流動層の温度よりも３０℃〜１００℃低くなるように制御するので、移動層での廃棄物の処理をできるだけ緩慢に行うことができるため、燃焼が不安定になりがちな廃棄物の適切な処理を継続して行うことができる。
【発明の効果】
【００１８】
本発明によれば、流動層の温度が所定の温度となるように流動層の温度を制御するので、移動層における廃棄物の熱分解を適切に行うことができる温度に流動媒体を流動層において加熱することとなり、移動層に流入した流動媒体によって廃棄物の適切な熱分解が行われることとなるため、未燃物が所定の濃度を超えて不燃物と共に流出してしまうことを抑制することができ、移動層の温度が流動層の温度よりも所定の温度低くなるように移動層用気体の流量を調節する（典型的には流動層用気体の流量よりも減少させる）ので、移動層での廃棄物の処理をできるだけ緩慢に行うことができるため、燃焼が不安定になりがちな廃棄物の適切な処理を継続して行うことができる。
【図面の簡単な説明】
【００１９】
【図１】図１は、本発明の第１の実施の形態に係る流動床炉の構成を示す縦断面図である。
【図２Ａ】図２Ａは、本発明の第１の実施の形態に係る流動床炉の床板周辺の水平断面図である。
【図２Ｂ】図２Ｂは、流動化空気供給口が形成された散気ノズルの縦断面図である。
【図３】図３は、流動床の高さ方向の位置と温度との関係を示すグラフである。
【図４】図４は、本発明の実施の形態に係る流動床炉の制御のフローチャートである。
【図５Ａ】図５Ａは、本発明の第２の実施の形態に係る流動床炉の構成を示す縦断面図である。
【図５Ｂ】図５Ｂは、図５ＡにおけるＢ部分の詳細図である。
【図６Ａ】図６Ａは、本発明の第１の実施の形態における一酸化炭素及び酸素の濃度の経時的トレンドデータを示すグラフである。
【図６Ｂ】図６Ｂは、従来技術における一酸化炭素及び酸素の濃度の経時的トレンドデータを示すグラフである。
【発明を実施するための形態】
【００２０】
以下、本発明に係る流動床炉及び廃棄物の処理方法の実施の形態について図１乃至図６を参照して説明する。なお、各図において互いに同一又は相当する部材には同一あるいは類似の符号を付し、重複した説明は省略する。
【００２１】
まず図１及び図２を参照して、本発明の第１の実施の形態に係る流動床炉１を説明する。図１は、流動床炉１の概略構成を示す縦断面図である。図２Ａおよび図２Ｂは、流動床炉１の床板の構成を説明する図であり、図２Ａは移動層床板１１及び流動層床板１２を表した水平断面図であり、図２Ｂは流動化空気供給口の一態様である散気ノズルの縦断面図である。流動床炉１は、廃棄物Ｗを処理する炉本体１０と、導入した廃棄物Ｗを熱反応させる流動床２０と、流動床２０を支える床板１１２を構成する移動層床板１１及び流動層床板１２と、流動床２０の温度を検出する移動層温度検出器としての移動層温度計３１及び流動層温度検出器としての流動層温度計３２と、移動層用気体供給手段を構成する移動層空気供給手段５０と、流動層用気体供給手段を構成する流動層空気供給手段６０と、移動層用気体供給手段及び流動層用気体供給手段を構成する流動化空気供給手段７０と、制御装置８０とを備えている。流動化空気供給手段７０は、移動層用気体供給手段の構成要素と流動層用気体供給手段の構成要素とを兼ねている。
【００２２】
流動床炉１で処理される廃棄物Ｗは、典型的には、都市ごみ、汚泥、木くず等の、質や量が不均一であって、燃焼が不安定になりがちなものを想定しており、本実施の形態では都市ごみであるとして説明する。廃棄物Ｗは、概ね、水分と可燃分と灰分（不燃物を含む）とからなり、熱反応によって、水分は蒸発し、可燃分は一部が可燃ガス（熱分解ガス）として揮発し、熱分残渣Ｗｒとなる。廃棄物Ｗから水分が蒸発し可燃ガスが揮発したもの、すなわち未燃物（チャー）Ｗｃおよび不燃物Ｗｎが熱分解残渣Ｗｒである。熱分解残渣Ｗｒ中の未燃物（チャー）Ｗｃは、流動層２２内で不燃物Ｗｎと分離されたうえで流動層２２内で一部が燃焼して燃焼ガスや微細な未燃物（チャー）Ｗｃとして流動化空気と共にフリーボード２５に送られるのが好ましいが、流動床２０内で不燃物Ｗｎから剥離しきらない場合がある。また、廃棄物Ｗは、投入される季節や時間帯、地理的要因等によって、含有される可燃分や水分等に変動があるため燃焼が不安定になりがちとなる。このような廃棄物Ｗは、可燃分の変動により必要酸素量が変動し、水分の変動により廃棄物Ｗの乾燥及び熱分解に必要な熱量が変動するため、これらが流動床２０の温度が変動する要因となり、一般に安定した燃焼が難しいとされている。
【００２３】
流動床２０は、典型的には珪砂等の砂である流動媒体２０Ｍが集積して形成されたベッドである。流動床２０は、後述するように供給される空気量の相違により、流動媒体２０Ｍの運動状況が異なる移動層２１と流動層２２とを有している。移動層２１は、流動媒体２０Ｍが、比較的ゆっくりした速度で上方から下方に移動するように構成される層である。流動層２２は、流動媒体２０Ｍが下方から上方に移動するように構成される層である。流動床２０全体においては、流動媒体２０Ｍが、下部では移動層２１から流動層２２へ、上部では流動層２２から移動層２１へ移動することで、移動層２１と流動層２２との間を循環するように構成されている。本実施の形態では、図１に現れているような正面視におけるあらゆる縦断面において、流動床２０の中央部に移動層２１が形成され、移動層２１の両脇に流動層２２が形成されており、流動媒体２０Ｍが、下方では中央の移動層２１から両脇の流動層２２へ分かれ、上方では両脇の流動層２２から中央の移動層２１に集まる動きをするように構成されている。なお、側面視においては、縦断面の位置に応じて移動層２１又は流動層２２が現れる。移動層２１及び流動層２２は、流動媒体２０Ｍの動きおよびそれぞれの機能に着目して区別したものであって、物理的には共に同じ流動媒体２０Ｍから構成されているが、各層において流動媒体２０Ｍの温度は異なっている。
【００２４】
炉本体１０は、概ね、水平断面（図２Ａ参照）が矩形に形成された筒状であって、水平断面矩形の一対の側面１１ｆｓの一部が窪んだ外観を呈している（図１参照）。図２Ａに示すように、水平断面において、一対の側面１１ｆｓは、前面１１ｆａ及び背面１１ｆｂで接続されている。本実施の形態では、水平断面における前面１１ｆａが延びる方向を幅方向と、側面１１ｆｓが延びる方向を奥行き方向ということとする。炉本体１０の窪みは、側面１１ｆｓが下方から上方に向かって炉本体１０の内部に傾斜した傾斜板１０ｄと、傾斜板１０ｄの上方に設けられて下方から上方に向かって外側に広がる拡張板１０ｅとによって形成されている（図１参照）。傾斜板１０ｄは、流動層２２を構成する流動媒体２０Ｍが上昇しながら炉本体１０内部に向かうように動くことを助けるデフレクタとして機能する。炉本体１０は、傾斜板１０ｄと拡張板１０ｅとの接続部（水平方向の幅が最小となる部分）の位置が、流動床２０が炉本体１０内に形成されたときの流動床２０の上端付近になるように構成されている。なお、傾斜板１０ｄ（及び拡張板１０ｅ）は設けなくてもよいが、流動層２２から移動層２１への流動媒体２０Ｍの移動を促進させる観点から、傾斜板１０ｄ（及び拡張板１０ｅ）を設けることが好ましい。
【００２５】
炉本体１０には、廃棄物Ｗを導入する投入口１５と、廃棄物Ｗを熱反応させた際に生じるガスを排出する排気口１６と、廃棄物Ｗに含まれる不燃物を抜き出す不燃物流路１８とが形成されている。炉本体１０が焼却炉の場合にはフリーボード２５に２次空気を供給して可燃ガスを燃焼させることにより燃焼ガスが排気口１６から排出される。炉本体１０がガス化炉の場合には可燃ガスが排気口１６から排出される。投入口１５は、拡張板１０ｅの上端よりも上方の側面１１ｆｓに設けられており、導入された廃棄物Ｗが移動層２１上に落下するように廃棄物Ｗを案内するシュートが形成されている。排気口１６は、炉本体１０の側面１１ｆｓ上端に、水平方向にガスを排出するように形成されている。不燃物流路１８は、両側面１１ｆｓに沿った流動層２２の下部に、それぞれ下向きに延びるように形成されている。
【００２６】
移動層床板１１及び流動層床板１２は、両側に設けられた２つの不燃物流路１８の間に配設されている。図１に示すように、移動層床板１１は移動層２１の下方に設けられ、流動層床板１２は流動層２２の下方に設けられており、換言すれば、移動層床板１１の上方に移動層２１が形成され、流動層床板１２の上方に流動層２２が形成されることとなる。移動層床板１１は炉本体１０の幅方向の中央部分に設けられ、流動層床板１２は移動層床板１１と不燃物流路１８との間に設けられている。移動層床板１１は、炉本体１０の幅方向の中央が最も高く、側面１１ｆｓに向かうにつれて徐々に低くなるような勾配を有して設けられている。流動層床板１２は、移動層床板１１から連続して同じ勾配で設けられている。つまり、移動層床板１１及び流動層床板１２は、本実施の形態では、炉本体１０の中央から外側にかけて傾斜した同一平面に配設されている。このように、移動層床板１１側から流動層床板１２側に向けて下り勾配が形成されていることで、流動媒体２０Ｍの移動層２１から流動層２２への移動を円滑にすることができる。本実施の形態では、移動層床板１１及び流動層床板１２を、水平面に対して好ましくは１０°〜２０°程度（典型的には１５°程度）傾けて取り付けた構成としている。また、本実施の形態では、移動層床板１１と流動層床板１２との面積比が略同程度に構成されており、同一平面における移動層床板１１及び流動層床板１２の幅方向の長さがそれぞれ約０．７ｍ程度に構成されている。以下、移動層床板１１及び流動層床板１２を総称して「床板１１２」ということもある。
【００２７】
移動層床板１１には、移動層用気体としての移動層空気Ａ１を流動媒体２０Ｍへ向けて供給するための移動層気体供給口としての移動層給気口１１ｈ（図２Ａ参照）が形成されている。移動層給気口１１ｈは、典型的には、円筒状の散気ノズル１１２ｎ（図２Ｂ参照）を介して形成されている。散気ノズル１１２ｎは、円筒状の下端は開口しているが上端は閉塞されている中空部１１２ｈが形成されており、中空部１１２ｈの上部から円筒状の側壁に通ずる流路１１２ｒが放射状に複数（概ね４〜１６本）形成されている。散気ノズル１１２ｎの側壁に現れる流路１１２ｒの開口が移動層給気口１１ｈとなっている。図２Ａに示すように、移動層給気口１１ｈ（散気ノズル１１２ｎ）は、複数が適宜間隔をあけて設けられている。流動層床板１２には、流動層用気体としての流動層空気Ａ２を流動媒体２０Ｍへ向けて供給するための流動層気体供給口としての流動層給気口１２ｈ（図２Ａ参照）が形成されている。流動層給気口１２ｈも、典型的には、移動層給気口１１ｈと同様に散気ノズル１１２ｎを介して形成されており、複数が適宜間隔をあけて設けられている。単位面積当たり、流動層給気口１２ｈは、移動層給気口１１ｈよりも多く形成されており、典型的には移動層給気口１１ｈの約２倍の数が形成されている。
【００２８】
床板１１２の下方には、床板１１２から間隔をあけて底板１３が設けられ、床板１１２と底板１３との間に空間が形成されている。床板１１２と底板１３との間の空間には、移動層床板１１と流動層床板１２との境界から、下方に向かって底板１３まで延びる仕切板１４が設けられている。床板１１２と底板１３との間の空間が仕切板１４で分割されることにより、移動層床板１１の下方に移動層空気箱４１が形成され、流動層床板１２の下方に流動層空気箱４２が形成されることとなる。本実施の形態では、移動層２１への移動層空気Ａ１の供給量を調節するエリアを分割する観点から、移動層床板１１の最も高い中央部から下方に向かって底板１３まで延びる仕切板１４１が設けられて移動層空気箱４１が２分割されているが、仕切板１４１を省略して１つの移動層空気箱４１としてもよい。
【００２９】
２つの移動層空気箱４１には、炉外から移動層空気箱４１へ移動層空気Ａ１を導く移動層空気管５１Ａ、５１Ｂがそれぞれ接続されている。２本の移動層空気管５１Ａ、５１Ｂは、移動層空気Ａ１の流れ方向上流側で、１本の移動層空気管５１が分岐したものである。以下、２本の移動層空気管５１Ａ、５１Ｂを区別する必要がない場合は、「移動層空気管５１」と総称する。各移動層空気管５１Ａ、５１Ｂには、内部を流れる移動層空気Ａ１の流量を調節する移動層空気調節弁５２Ａ、５２Ｂがそれぞれ配設されている。以下、２つの移動層空気調節弁５２Ａ、５２Ｂを区別する必要がない場合は、「移動層空気調節弁５２」と総称する。移動層空気管５１及び移動層空気調節弁５２から、移動層空気供給手段５０が構成されている。他方、２つの流動層空気箱４２には、炉外から流動層空気箱４２へ流動層空気Ａ２を導く流動層空気管６１Ａ、６１Ｂがそれぞれ接続されている。２本の流動層空気管６１Ａ、６１Ｂは、流動層空気Ａ２の流れ方向上流側で、１本の流動層空気管６１が分岐したものである。以下、２本の流動層空気管６１Ａ、６１Ｂを区別する必要がない場合は、「流動層空気管６１」と総称する。各流動層空気管６１Ａ、６１Ｂには、内部を流れる流動層空気Ａ２の流量を調節する流動層空気調節弁６２Ａ、６２Ｂがそれぞれ配設されている。以下、２つの流動層空気調節弁６２Ａ、６２Ｂを区別する必要がない場合は、「流動層空気調節弁６２」と総称する。流動層空気管６１及び流動層空気調節弁６２から、流動層空気供給手段６０が構成されている。移動層空気管５１及び流動層空気管６１には、最上流部で流動化空気管７１に接続されている。流動化空気管７１には、流動化空気Ａを圧送する流動化空気ブロワ７２が配設されている。流動化空気Ａが分流したものが移動層空気Ａ１及び流動層空気Ａ２である。流動化空気管７１及び流動化空気ブロワ７２から、流動化空気供給手段７０が構成されている。
【００３０】
移動層温度計３１は、幅方向の位置については移動層床板１１の山（仕切板１４１の上端）の頂点から流動層床板１２との境界まで（以下、「移動層床板１１の幅」という。）の範囲に設けることができるが、移動層床板１１の幅の中心から移動層床板１１の幅の±５％の範囲に設けられていることが好ましい。移動層床板１１と流動層床板１２との境界は２つ存在するため移動層温度計３１は２つ設けられているが、いずれかに１つ設ける構成とすることもできる。本実施の形態では、移動層床板１１の幅が７５０ｍｍのところ、移動層床板１１の幅の中心から３５ｍｍ（４．７％）中央寄りの位置に、移動層温度計３１の温度を検出する部分が来るように構成されている。流動層温度計３２は、幅方向の位置についてはそれぞれの流動層床板１２の幅の範囲に設けることができるが、流動層床板１２の幅の中心から流動層床板１２の幅の概ね３０％移動層２１寄りまでの位置の流動層２２の温度を検出するように合計２つ設けられていることが好ましい。本実施の形態では、流動層床板１２の幅が７５０ｍｍのところ、流動層床板２１の幅の中心から２２５ｍｍ（３０％）移動層２１寄りの位置に、流動層温度計３２の温度を検出する部分が来るように構成されている。移動層温度計３１及び流動層温度計３２は、典型的には熱電対が保護管に収容されて構成されており、温度を検出する部分が、前面１１ｆａから１００ｍｍ〜１０００ｍｍ、好ましくは３００ｍｍ〜７００ｍｍ挿入されて取り付けられている。本実施の形態では、前面１１ｆａから奥行き方向に５２０ｍｍの位置に移動層温度計３１及び流動層温度計３２の温度を検出する部分が来るように構成されている。高さ方向の位置は、移動層温度計３１及び流動層温度計３２共に、流動床２０の高さが最小となる幅方向の位置（本実施の形態では移動層床板１１の山の位置）における、流動媒体２０Ｍが静止しているときの流動床２０の上面の位置（Ｈｏ）を上限とし、流動媒体２０Ｍが静止しているときの流動床２０の上面の位置の約半分（（１／２）Ｈｏ）を下限とする範囲に温度を検出する部分が来るように設けられていることが望ましい。流動媒体２０Ｍが静止しているときの流動床２０の上面に温度を検出する部分が配置されても、流動媒体２０Ｍが流動すると、流動床２０は内部に気泡を含むこととなって体積が増加するため上面が上昇するので、温度を検出する部分は流動床２０内に潜ることとなる。本実施の形態では、静止している流動床２０の最小高さが６６０ｍｍの流動床２０の上面から２７０ｍｍ下方の高さに、移動層温度計３１及び流動層温度計３２の温度を検出する部分が位置している。なお、背面１１ｆｂ側には、流動床炉１の運転開始時に流動媒体２０Ｍを加熱する助燃バーナー（不図示）が設けられている。
【００３１】
制御装置８０は、流動床炉１の運転を制御する機器である。制御装置８０は、移動層温度計３１及び流動層温度計３２とそれぞれ信号ケーブルで接続されており、各温度計３１、３２で検出された温度を信号として受信することができるように構成されている。また、制御装置８０は、各温度計３１、３２から受信した温度信号を基に、あらかじめ設定された関係（関数）の演算を行うことができる演算機能を有している。また、制御装置８０は、移動層空気調節弁５２及び流動層空気調節弁６２とそれぞれ信号ケーブルで接続されており、各移動層空気調節弁５２及び流動層空気調節弁６２に信号を送信して各移動層空気調節弁５２及び流動層空気調節弁６２の開度を調節することができるように構成されている。また、制御装置８０には、各移動層空気調節弁５２及び流動層空気調節弁６２について、弁の開度と吐出風量との関係があらかじめ記憶されている。
【００３２】
次に、図１及び図２を参照して、流動床炉１の作用を説明する。流動床炉１の運転を開始するに際し、助燃バーナー（不図示）を点火して流動媒体２０Ｍを加熱する。このとき、制御装置８０は、流動化空気ブロワ７２を起動して移動層空気Ａ１及び流動層空気Ａ２を炉本体１０内に供給し、助燃バーナー（不図示）における燃焼の用に供する。移動層温度計３１で検出された温度が、廃棄物Ｗの熱分解が可能な温度（本実施の形態では４００℃以上）になることで、廃棄物Ｗを流動床２０に受け入れる準備が整ったこととなる。
【００３３】
廃棄物Ｗを流動床２０に受け入れる準備が整ったら、廃棄物Ｗが投入口１５から投入される。典型的には、廃棄物Ｗは、定量供給装置（不図示）により連続的に投入口１５に投入されるが、処理されるべく流動床炉１内に投入される廃棄物Ｗは多種の雑多な物質によって構成されているのでその質や量が変動することとなる。投入口１５から投入された廃棄物Ｗは、シュートを滑り落ちて移動層２１の上部に落下する。このとき、制御装置８０は、移動層空気調節弁５２及び流動層空気調節弁６２の開度を調節して移動層空気Ａ１及び流動層空気Ａ２の流量を調節している。典型的には、流動層空気Ａ２は、流動層空気調節弁６２により、流動層２２の流動媒体２０Ｍを上方へ運搬しつつ移動層２１に到達するまで移動させることができ、かつ所定の基準で未燃物（チャー）Ｗｃを燃焼させることができる空気（酸素）を流動層２２に供給できる流量に調節される。「所定の基準で未燃物（チャー）Ｗｃを燃焼させる」とは、典型的には、所定の濃度を超えた未燃物が不燃物Ｗｎと共に流動床炉１外に流出しない程度に流動床２０内の未燃物濃度を低下させると共に、流動層２２から移動層２１へ移った流動媒体２０Ｍによって移動層２１における廃棄物Ｗの熱分解を適切に行うことができる熱量を流動媒体２０Ｍが保有するように流動層１２において未燃物（チャー）Ｗｃを燃焼させることである。
【００３４】
ここで「所定の濃度を超えた未燃物が不燃物Ｗｎと共に流動床炉１外に流出しない」未燃物の「所定の濃度」は、典型的には、流動媒体２０Ｍや不燃物Ｗｎに未燃物（チャー）Ｗｃが付着して同伴されると、ダイオキシン類は未燃物（チャー）Ｗｃに含まれやすいため、不燃物Ｗｎのダイオキシン類濃度が高くなることがないように、未燃物の濃度が０〜０．１重量％になるように管理される。
【００３５】
そして、所定の濃度を超えた未燃物が不燃物Ｗｎと共に流動床炉１外へ排出しないようにするため、移動層２１における廃棄物Ｗの熱分解は、流動層２２に移動したときに未燃物（チャー）Ｗｃの不燃物Ｗｎからの剥離が適切に行われる程度の脆さの熱分解残渣Ｗｒを生成することができるようにする（廃棄物Ｗの適切な熱分解）。他方、移動層空気Ａ１は、移動層２１の流動媒体２０Ｍを流動層２２との間で循環流動させることができる流量に調節される。制御装置８０は、移動層空気Ａ１の質量流量が流動層空気Ａ２の質量流量よりも小さくなるように調節し、本実施の形態では移動層空気Ａ１の質量流量を０．５〜１．５Ｇｍｆ、流動層空気Ａ２の質量流量を１．５〜５Ｇｍｆ程度としている。なお、流動媒体２０Ｍが流動化を開始する質量速度が１Ｇｍｆとなる。
【００３６】
移動層２１の上部に投入された廃棄物Ｗは、移動層空気Ａ１が供給されることに伴って流動する流動媒体２０Ｍと共に下方に移動する。このとき、流動媒体２０Ｍの熱によって廃棄物Ｗの乾燥及び熱分解が行われて、廃棄物Ｗ中の水分が蒸発し、廃棄物Ｗ中の可燃分から可燃ガスが発生して、脆い熱分解残渣Ｗｒとなる。図３は、流動床２０の高さ方向の位置と温度との関係を示すグラフであり、縦軸に流動床２０の高さを、横軸に温度を取り、線Ｔ２１は移動層２１における関係を、線Ｔ２２は流動層２２における関係を示している。また、図３中のＨｏは、流動媒体２０Ｍが静止しているときの流動床２０の上面の位置を示す。１／２Ｈｏは、流動媒体２０Ｍが静止しているときの流動床２０の上面の位置の半分の位置を示す。廃棄物Ｗが投入された後に水分が蒸発する際の潜熱で流動媒体２０Ｍが冷却されるので、移動層２１においては、上部で急に温度が低下した後、下部に行くにつれて比較的緩やかに温度が低下して行く（図３中の線Ｔ２１参照）。緩やかに温度が低下して行く過程で、可燃ガスが発生する。熱分解残渣Ｗｒは、典型的には、不燃物Ｗｎ及び熱分解によって脆くなった未燃物（チャー）Ｗｃを含んでいる。移動層１１で生成される熱分解残渣Ｗｒは、流動媒体２０Ｍと共に、移動層床板１１に至ると、傾斜した移動層床板１１に沿って流動層２２に向かう。流動層２２に至った熱分解残渣Ｗｒは、流動層空気Ａ２により未燃物（チャー）Ｗｃが不燃物Ｗｎから剥離し、未燃物（チャー）Ｗｃが剥離して残った不燃物Ｗｎは一部の流動媒体２０Ｍと共に不燃物流路１８に向かう。このとき、炉本体１０の水平断面が矩形に形成され流動層床板１２の幅を一定に確保しているので、不燃物Ｗｎから未燃物（チャー）Ｗｃが剥離するための移動距離を確保することができ、熱分解残渣Ｗｒ中の不燃物Ｗｎが確実に流動層２２の一定距離を移動することとなって、未燃物（チャー）Ｗｃと不燃物Ｗｎとの分離を適切に行うことができる。不燃物Ｗｎは、一部の流動媒体２０Ｍと共に不燃物流路１８へ流入して流動床炉１外へ排出され、不燃物分離装置（不図示）において未酸化かつ未燃物（チャー）の付着がない状態で回収される。不燃物分離装置（不図示）で不燃物Ｗｎが回収された後の流動媒体２０Ｍは、流動媒体循環装置（不図示）を介して炉本体１０内に戻される。
流動床炉の処理能力に応じて流動床の水平断面の面積を変える場合には、幅を一定として流動層床板１２の幅は一定に確保し、奥行き寸法を変えるのが良い。
【００３７】
他方、不燃物Ｗｎから剥離した未燃物（チャー）Ｗｃは、流動層空気Ａ２が供給されることに伴って流動する流動媒体２０Ｍと共に上方に移動する。このとき、未燃物（チャー）Ｗｃは、供給された流動層空気Ａ２によって燃焼が行われ、流動媒体２０Ｍを加熱しつつ燃焼ガスを発生し、気体に搬送される程度の微細な未燃物（チャー）及び灰分の粒子となる。流動層２２においては、未燃物（チャー）Ｗｃの燃焼に伴って徐々に温度が上昇して行くので、下部から上部に行くにつれて温度が比例的に上昇して行く（図３中の線Ｔ２２参照）。図３に示すように、線Ｔ２１及び線Ｔ２２は、上端及び下端で接続され、高さ方向中程は離れている。図３中の符号Ｈの高さは移動層温度計３１及び流動層温度計３２が設置された高さである。線Ｔ２１及び線Ｔ２２の高さ方向中程の離れる距離は、廃棄物Ｗの性状に応じて変化する。例えば、水分の少ない廃棄物Ｗが投入された場合は移動層２１における温度低下が抑制されて線Ｔ２１及び線Ｔ２２の離れる距離が小さくなる。他方、流動層２２の上部に至った流動媒体２０Ｍは、移動層２１に流入する。流動媒体２０Ｍは、流動層２２において、移動層２１に流動したときに廃棄物Ｗの熱分解を適切に行うことができる温度に上昇させられる。移動層２１に流入した流動媒体２０Ｍは、再び投入された廃棄物Ｗを受け入れて、上述の移動層２１及び流動層２２における熱反応を繰り返す。
【００３８】
上記のように作用する流動床炉１では、未燃物（チャー）Ｗｃが不燃物Ｗｎから剥離しきらずに不燃物Ｗｎと共に不燃物流路１８に流出することを抑制するため、制御装置８０が、流動層２２の温度を「廃棄物の性状に基づく所定の温度」とするように流動層空気Ａ２の流量を調節する。流動層空気Ａ２の増減は、未燃物（チャー）Ｗｃの燃焼に用いられる酸素の増減に関係するため、流動層２２の温度は、流動層空気Ａ２の流量を増加させると上昇し、流量を減少させると下降する。
【００３９】
他方、都市ごみ等の廃棄物Ｗは、その性質上、保有熱量にばらつきがあるため、燃焼が安定しにくいという事情がある。単位時間当たりに流動床炉１に導入される廃棄物Ｗの質や量が安定していないと、可燃ガスや燃焼ガスの発生量が変動するため、流動床炉１内の圧力が変動し、流動床炉１の安定した運転が困難となる。発生する可燃ガスの量の変動を抑制するために、移動層２１における廃棄物Ｗの乾燥及び熱分解を緩やかに行わせることが好ましい。移動層２１における廃棄物Ｗの乾燥及び熱分解が緩やかに行われると、流動層２２に入る熱分解残渣Ｗｒの量の変動も抑制されるため、燃焼ガスの発生量の変動も抑制されることとなる。移動層２１における廃棄物Ｗの乾燥及び熱分解を緩やかにするには、移動層２１の温度を、廃棄物Ｗの熱分解を適切に行うことができる範囲で極力低くするとよい。
【００４０】
上記のように、理想的に廃棄物Ｗの熱反応が行われるためには、移動層２１と流動層２２のそれぞれにおける要求機能が相違する。加えて、廃棄物Ｗの熱反応を継続させるためには、流動媒体２０Ｍの移動層２１と流動層２２とにおける循環を継続させることが不可避であり、この観点からも流動床２０に供給される移動層空気Ａ１及び流動層空気Ａ２の流量の制約を受ける。従来は、移動層と流動層とにある程度の温度差が生じることを流動媒体の流動化不良の発生のサインととらえ、流動床の温度の均一化を図っていた。このような状況で、移動層及び流動層の温度について相違する要求機能を満たすように最適化することが困難であった。このような不都合を解消するため、本実施の形態に係る流動床炉１では、以下のような制御を行うこととしている。
【００４１】
すなわち、流動床炉１では、熱分解残渣Ｗｒを脆くして未燃物（チャー）Ｗｃを不燃物Ｗｎから適切に剥離させることにより未燃物の流動床炉１外への排出を抑制する観点から未燃物（チャー）Ｗｃを燃焼させる「廃棄物の性状に基づく所定の温度」に流動層２２の制御目標温度（典型的には流動層２２の設定温度）を設定し、移動層２１の制御目標温度（典型的には移動層２１の設定温度）を流動層２２のものよりも所定の温度低い温度（以下「所定の温度差」ということもある）とし、移動層２１と流動層２２とで制御目標温度を異ならせることとしている。移動層２１の温度は、流動床炉１の内圧の変動を抑制するためにできるだけ緩慢に廃棄物Ｗの熱反応を行わせることができるようにする観点からは流動層２２の温度より３０℃以上低い温度（所定の温度差を３０℃以上）とするのが好ましく、移動層２１における廃棄物Ｗの適切な熱分解を維持する観点からは流動層２２の温度より１００℃以下低い温度（所定の温度差を１００℃以下）とするのが好ましい。所定の温度差は、５０℃以上８０℃以下であってもよい。所定の温度差に幅を持たせているのは、典型的には流動床炉１の設置条件によって導入される廃棄物Ｗの性状（流動床炉１の設計条件）が異なるためである。すなわち、水分含有量が多い廃棄物Ｗの場合は水分の蒸発潜熱により移動層２１の温度が低くなりがちであり、可燃ガスの発生量が多い廃棄物Ｗの場合は発生した可燃ガスの燃焼により移動層２１の温度が高くなりがちであるというように、主に処理されることが想定される廃棄物Ｗの性状によって所定の温度差の最適な値が異なることによるものである。移動層２１と流動層２２とで制御目標温度が異なるが、流動媒体２０Ｍの流動化不良の発生の有無の推定は、移動層２１と流動層２２の温度差があらかじめ定められた範囲内にあるか否かを検出すること及び流動層２２の温度が所定の温度範囲内にあるか否かを検出することで判断することとしている。なお、「所定の温度差」の制御目標温度を３０℃以下とした場合には、従来と同様に流動床炉１内の圧力が変動し、流動床炉の安定した運転の継続が困難となる。一方、「所定の温度差」の制御目標温度を１００℃以上とした場合には、熱分解残渣Ｗｒが脆くなりきらず、未燃分（チャー）Ｗｃが不燃物Ｗｎと共に流動床炉１外へ排出しやすくなってしまう。また、本実施の形態では、流動層２２の制御目標温度は、５００℃〜６５０℃の間で設定している。このように、流動層温度および「所定の温度差」の制御目標温度を設定することにより、未燃物の濃度を０〜０．１重量％に管理することができる。
【００４２】
次に、上述のように構成された流動床炉１の制御フローを説明する。
図４は、流動床炉１の制御を説明するフローチャートである。流動床炉１を立ち上げる際、制御装置８０は、流動化空気ブロワ７２を起動すると共に移動層空気調節弁５２及び流動層空気調節弁６２の開度を調節し、移動層２１へ移動層空気Ａ１を供給し、流動層２２へ流動層空気Ａ２を供給する（ＳＴ１）。本実施の形態では、流動媒体２０Ｍを適切に流動させる観点から、１ｍ２あたり、移動層空気Ａ１を３００ｍ３Ｎ／ｈ、流動層空気Ａ２を６００ｍ３Ｎ／ｈ供給することとしている。移動層空気Ａ１及び流動層空気Ａ２（流動化空気Ａ）の供給を開始したら、制御装置８０は、助燃バーナー（不図示）を着火する（ＳＴ２）。助燃バーナー（不図示）が点火すると、流動床２０を構成している流動媒体２０Ｍが火炎によって加熱される。流動媒体２０Ｍは流動化空気によって流動しているので、流動媒体２０Ｍ全体が加熱される。
【００４３】
流動媒体２０Ｍの加熱が開始されたら、制御装置８０は、流動層温度計３２から受信した温度信号に基づいて、流動層２２の温度が流動層下限温度以上になったか否かを判断する（ＳＴ３）。ここで、流動層下限温度は、「廃棄物Ｗの性状に基づく所定の温度」であり、概ね５００℃以上とすることが好ましい。流動層２２の温度が流動層下限温度以上になったか否かを判断する工程（ＳＴ３）において、流動層下限温度以上になっていない場合は、再び流動層２２の温度が流動層下限温度以上になったか否かを判断する工程（ＳＴ３）に戻る。他方、流動層下限温度以上になっている場合は、炉本体１０内に廃棄物Ｗを投入する（ＳＴ４）。
【００４４】
廃棄物Ｗを投入すると、上述のように流動床２０内で熱反応が行われる。すなわち、廃棄物Ｗは、移動層２１において乾燥及び熱分解が行われて水蒸気及び可燃ガスが発生して熱分解残渣Ｗｒとなる。熱分解残渣Ｗｒは、移動層２１の底部から流動層２２の底部へと移動し、流動層２２の底部を移動する際に熱分解残渣Ｗｒ中の不燃物Ｗｎから未燃物（チャー）Ｗｃが剥離する。剥離した未燃物（チャー）Ｗｃは、流動媒体２０Ｍと共に流動層２２を上昇してその際に燃焼し、燃焼によって生じた燃え残りの未燃物及び灰分の微細粒子が燃焼ガスと共にフリーボード２５へ飛散する。このような廃棄物Ｗの熱反応工程において、上述のように、移動層２１と流動層２２とで理想的な温度が異なるため、移動層２１と流動層２２とで異なる温度となるように制御する。移動層２１及び流動層２２の温度制御は並行して行われるが、説明の便宜上、まず流動層２２の温度制御（廃棄物投入工程（ＳＴ４）の後に符号Ａへ進む）について説明し、次いで移動層２１の温度制御（廃棄物投入工程（ＳＴ４）の後に符号Ｂへ進む）について説明する。
【００４５】
流動層２２の温度制御の際、制御装置８０は、流動層温度計３２が検出した温度が流動層２２の制御目標温度に対する上限設定値以上か否かを判断する（ＳＴ５）。ここで、流動層２２の制御目標温度に対する上限設定値は、流動層２２で加熱された流動媒体２０Ｍが移動層２１へ移行後に移動層２１で行われる廃棄物Ｗの乾燥及び熱分解において発生する水蒸気及び可燃ガスの量の変動を許容範囲に抑制できる流動層温度の上限値である。流動層温度の上限設定値は、概ね６５０℃以下とすることが好ましく、本実施の形態では６４０℃としている。流動層温度計３２が検出した温度が上限設定値以上か否かを判断する工程（ＳＴ５）において、上限設定値以上になっている場合、制御装置８０は、流動層空気調節弁６２の開度を絞って、流動層２２に供給される流動層空気Ａ２の流量を減少させる（ＳＴ６）。流動層空気Ａ２の流量を減少させたら、再び流動層温度計３２が検出した温度が上限設定値以上か否かを判断する工程（ＳＴ５）に戻る。
【００４６】
他方、流動層温度計３２が検出した温度が上限設定値以上か否かを判断する工程（ＳＴ５）において、上限設定値以上になっていない場合、制御装置８０は、流動層温度計３２が検出した温度が流動層２２の制御目標温度に対する下限設定値以下か否かを判断する（ＳＴ７）。流動層２２の制御目標温度に対する下限設定値は、前述の流動層下限温度（５００℃）以上の値である。制御目標温度に対して上限設定値及び下限設定値を設けるのは、連続的又は断続的に流動床炉１に導入される廃棄物Ｗの性状の変化を吸収すると共に、流動層空気Ａ２の頻繁な流量調整を抑制するためである。流動層温度計３２が検出した温度が下限設定値以下か否かを判断する工程（ＳＴ７）において、下限設定値以下になっている場合、制御装置８０は、流動層空気調節弁６２を開いて、流動層２２に供給される流動層空気Ａ２の流量を増加させる（ＳＴ８）。流動層空気Ａ２の流量を増加させたら、再び流動層温度計３２が検出した温度が下限設定値以下か否かを判断する工程（ＳＴ７）に戻る。
【００４７】
流動層温度計３２が検出した温度が下限設定値以下か否かを判断する工程（ＳＴ７）において、下限設定値以下になっていない場合は、流動層温度計３２が検出した温度が上限設定値以上か否かを判断する工程（ＳＴ５）に戻る。このようにして、流動層２２は、下限設定値と上限設定値との間に維持される。なお、本実施の形態では、廃棄物Ｗを投入する工程（ＳＴ４）の後に、流動層温度計３２が検出した温度が上限設定値以上か否かを判断する工程（ＳＴ５）を行うこととしたが、廃棄物Ｗを投入する工程（ＳＴ４）の後、先に流動層温度計３２が検出した温度が下限設定値以下か否かを判断する工程（ＳＴ７）に移行し、ここで下限設定値以下になっていない場合に、流動層温度計３２が検出した温度が上限設定値以上か否かを判断する工程（ＳＴ５）に移ることとしてもよい。
【００４８】
次に、上述の流動層２２の温度制御と並行して行われる移動層２１の温度制御（廃棄物投入工程（ＳＴ４）の後に符号Ｂへ進む）を説明する。移動層２１の温度制御の際、制御装置８０は、流動層温度計３２が検出した温度から移動層温度計３１が検出した温度を差し引いた値（温度差）が、上限以上か（温度差がつきすぎているか）否かを判断する（ＳＴ９）。ここで、移動層２１の制御目標温度となる所定の温度差は、前述のように、移動層２１における廃棄物Ｗの熱分解を維持できる範囲内でできるだけ緩慢に廃棄物Ｗの熱反応を行わせることができるようにする観点から決定される温度である。所定の温度差は、流動床炉１の大きさや処理する廃棄物Ｗの種類等に応じて適切に決定され、概ね３０℃〜１００℃で設定される。また、前述のように、適宜投入される廃棄物Ｗは水分や可燃分等の含有量が変動するため、移動層２１の制御目標温度に対して当該変動分を見越した上限及び下限を定めておき、移動層空気Ａ１の頻繁な流量調整を抑制している。温度差が上限以上か否かを判断する工程（ＳＴ９）において、上限以上になっている場合、制御装置８０は、移動層空気調節弁５２を開いて、移動層２１に供給される移動層空気Ａ１の流量を増加させる（ＳＴ１０）。移動層空気Ａ１の流量を増加させたら、再び温度差が上限以上か否かを判断する工程（ＳＴ９）に戻る。
【００４９】
他方、温度差が上限以上か否かを判断する工程（ＳＴ９）において、上限以上になっていない場合、制御装置８０は、温度差が下限以下か否かを判断する（ＳＴ１１）。温度差が下限以下か否かを判断する工程（ＳＴ１１）において、下限以下になっている場合、制御装置８０は、移動層空気調節弁５２の開度を絞って、移動層２１に供給される移動層空気Ａ１の流量を減少させる（ＳＴ１２）。移動層空気Ａ１の流量を減少させたら、再び温度差が下限以下か否かを判断する工程（ＳＴ１１）に戻る。
【００５０】
温度差が下限以下か否かを判断する工程（ＳＴ１１）において、下限温度以下になっていない場合は、温度差が上限以上か否かを判断する工程（ＳＴ９）に戻る。このようにして、移動層２１は、流動層２２よりも所定の温度低い温度に維持される。なお、本実施の形態では、廃棄物Ｗを投入する工程（ＳＴ４）の後に、温度差が上限以上か否かを判断する工程（ＳＴ９）を行うこととしたが、廃棄物Ｗを投入する工程（ＳＴ４）の後、先に温度差が下限以下か否かを判断する工程（ＳＴ１１）に移行し、ここで下限温度以下になっていない場合に、温度差が上限以上か否かを判断する工程（ＳＴ９）に移ることとしてもよい。
【００５１】
以上説明したように、本実施の形態に係る流動床炉１では、移動層２１の温度と流動層２２の温度とを個別に制御し、それぞれが理想的な温度に制御されるため、流動層２２では所定の基準で未燃物（チャー）の燃焼を行うことができ、移動層２１では廃棄物Ｗを緩慢に熱分解させることができて、不安定な燃焼になりがちな性質の廃棄物Ｗを適切に熱反応させることができる。
【００５２】
次に、図５を参照して、本発明の第２の実施の形態に係る流動床炉２を説明する。図５は、流動床炉２の概略構成を示す図であり、図５Ａは縦断面図、図５Ｂは図５ＡにおけるＢ部分の詳細図である。本実施の形態の流動床炉２では、流動床炉１（図１参照）の構成に加え、堆積防止ブロック９１が設けられている。先に流動床炉１（図１参照）の説明で述べたように、廃棄物Ｗの熱分解に伴って発生するガスの量の変動を抑制するために、移動層２１における廃棄物Ｗの乾燥及び熱分解を緩やかに行うと、移動層２１での流動媒体２０Ｍの動きも緩やかになるため、廃棄物Ｗ中の不燃物Ｗｎが移動層２１に堆積するおそれがある。特に、本実施の形態では、両脇を流動層２２に挟まれた中央に移動層２１が形成されているため、移動層空気Ａ１の供給量をできるだけ少なくした場合、針金等のような絡まりやすい不燃物Ｗｎが中央に堆積しやすくなる。
【００５３】
流動床炉２は、上述の事情を考慮して、堆積防止ブロック９１が設けられている。堆積防止ブロック９１は、移動層床板１１の角度が変わる山（仕切板１４１の上端）の頂上に沿って堰のように連なって配設されており、その縦断面（図５に現れる断面）において側面９１ｓ、９１ｔが、不燃物の堆積を防ぐことができる程度に傾斜して構成されている。本実施の形態では、下部の側面９１ｓは、水平面（図５Ｂで二点鎖線で表されている面）に対する角度θが６０°以上８０°以下となるように形成されており、上部の側面９１ｔは、水平面に対する角度が４５°以上８０°以下に形成されている。本実施の形態では、堆積防止ブロック９１の高さを流動床２０の高さと同程度にしつつ、勾配が急な側面９１ｓが極力上部まで延びるようになっている。また、堆積防止ブロック９１は、移動層床板１１のすべてを塞ぐことなく、流動層床板１２に近接する移動層給気口１１ｈ（図２参照）が、両側それぞれ少なくとも１列以上現れるように設けられている。比較的小さい質量流量の移動層空気Ａ１を吐出する移動層給気口１１ｈ（図２参照）が少なくとも１列以上形成されていることで、移動層２１と流動層２２との間の流動媒体２０Ｍの循環流の形成を維持することができる。
【００５４】
流動床炉２は、堆積防止ブロック９１が設けられている点を除き、流動床炉１（図１参照）と同様に構成されている。このように構成された流動床炉２は、移動層空気Ａ１及び流動層空気Ａ２の供給、及びこれに伴う流動媒体２０Ｍの循環、並びに制御フロー（温度制御）も、流動床炉１（図１参照）と同様である。流動床炉２では、移動層２１に投入された廃棄物Ｗ中に針金等の堆積しやすい不燃物Ｗｎが混入していても、堆積防止ブロック９１の側面９１ｔ、９１ｓに案内されて流動媒体２０Ｍと共に流動層２２へ円滑に導かれるので、移動層２１における不燃物Ｗｎの堆積が抑制される。
【００５５】
以上で説明した流動床炉２では、堆積防止ブロック９１が、移動層床板１１とは別体に構成されて移動層床板１１上に設置されることとしたが、移動層床板１１自体が不燃物Ｗｎの堆積を防ぐことができる程度の勾配に形成されていてもよい。この場合、急勾配の面に移動層給気口１１ｈ（図２参照）が形成されていてもよい。急勾配の面に移動層給気口１１ｈ（図２参照）が形成される場合は移動層空気Ａ１の流量の調整がしやすくなり、形成されない場合は移動層床板１１の構造を簡便にできる。
【実施例】
【００５６】
以下、実施例により本発明を説明するが、本発明はこれらの実施例に限定されるものではない。以下に示す実施例は、図１及び図２に示す流動床炉１において、複数の廃棄物Ｗの種類及び処理条件で、廃棄物Ｗを焼却した際の排出ガス中の一酸化炭素濃度及び酸素濃度を測定したものである。本実施例で用いられた流動床炉１は、床板１１２の平面寸法が、幅方向は３０００ｍｍ、奥行き方向は１５００ｍｍの大きさであり、その内訳は、共に同じ大きさの幅方向７５０ｍｍ×奥行き方向１５００ｍｍの移動層床板１１及び流動層床板１２が、幅方向に流動層床板１２、移動層床板１１、移動層床板１１、流動層床板１２の順に配設されて構成されたものである。移動層床板１１及び流動層床板１２は、水平面に対して１５°傾けて取り付けられている。一酸化炭素濃度及び酸素濃度は、流動床炉１において廃棄物Ｗが焼却され、燃焼ガスが排気口１６から排出され、冷却装置（不図示）で冷却された後に、その排ガス中の濃度を測定したものである。【００５７】
表１および表２は、処理条件及び測定結果を示す。処理条件は、移動層２１に供給される移動層空気Ａ１の流量、流動層２２に供給される流動層空気Ａ２の流量、移動層温度計３１で検出された移動層２１の温度、流動層温度計３２で検出された流動層２２の温度、の各条件である。移動層空気Ａ１及び流動層空気Ａ２の流量は、床板１１２の単位面積（１ｍ２）当たりの標準状態における流量を示している。表１および表２に示す一酸化炭素濃度（ＣＯ濃度）は、実測した一酸化炭素濃度及び酸素濃度から、酸素濃度１２％換算して得られた値である。実測した酸素濃度は、乾きガス基準の濃度である。表１に示す結果は、廃棄物Ｗとして、スクリーン粕（ラミネート古紙由来のプラスチック系不溶物）及び雑芥（紙や廃プラスチック）を主に含むものを処理した際のものである。表２に示す結果は、廃棄物Ｗとして、都市ごみを処理した際のものである。
【表１】
2012066802.tif 000003
【表２】
2012066802.tif 000004
【００５８】
実施例１では、流動層２２の制御目標温度が６４０℃、移動層２１の制御目標温度が流動層２２の温度よりも３０℃低くなるように移動層空気Ａ１及び流動層空気Ａ２の流量を調節したところ（このときの移動層空気Ａ１の流量は２５０ｍ３Ｎ／ｍ２ｈ、流動層空気Ａ２の流量は１０５０ｍ３Ｎ／ｍ２ｈであった）、検出された１２％換算ＣＯ濃度は１９ｐｐｍとなった。【００５９】
実施例２では、流動層２２の制御目標温度が６２０℃、移動層２１の制御目標温度が流動層２２の温度よりも７５℃低くなるように移動層空気Ａ１及び流動層空気Ａ２の流量を調節したところ（このときの移動層空気Ａ１の流量は２００ｍ３Ｎ／ｍ２ｈ、流動層空気Ａ２の流量は４５０ｍ３Ｎ／ｍ２ｈであった）、検出された１２％換算ＣＯ濃度は１５ｐｐｍとなった。【００６０】
比較例１では、流動層２２の制御目標温度及び移動層２１の制御目標温度が共に６３５℃となるように移動層空気Ａ１及び流動層空気Ａ２の流量を調節したところ（このときの移動層空気Ａ１の流量は３５０ｍ３Ｎ／ｍ２ｈ、流動層空気Ａ２の流量は９５０ｍ３Ｎ／ｍ２ｈであった）、検出された１２％換算ＣＯ濃度は７６ｐｐｍとなった。【００６１】
表１に示す例では、移動層２１の制御目標温度が流動層２２の制御目標温度よりも所定の温度低くなる流量の移動層空気Ａ１を移動層２１に供給している実施例１、２が、移動層２１の制御目標温度が流動層２２の制御目標温度と等しくなる流量の移動層空気Ａ１を移動層２１に供給している比較例１よりも、１２％換算ＣＯ濃度が７５〜８０％程低下した。このことは、実施例１、２では、比較例１よりも、不完全燃焼が抑制され、燃焼が安定していることを示唆している。【００６２】
実施例３では、流動層２２の制御目標温度が５５１℃、移動層２１の制御目標温度が流動層２２の温度よりも３２℃低くなるように移動層空気Ａ１及び流動層空気Ａ２の流量を調節したところ（このときの移動層空気Ａ１の流量は３００ｍ３Ｎ／ｍ２ｈ、流動層空気Ａ２の流量は１６００ｍ３Ｎ／ｍ２ｈであった）、検出された１２％換算ＣＯ濃度は３ｐｐｍとなった。【００６３】
比較例２では、流動層２２の制御目標温度及び移動層２１の制御目標温度が共に５７５℃となるように移動層空気Ａ１及び流動層空気Ａ２の流量を調節したところ（このときの移動層空気Ａ１の流量は３５０ｍ３Ｎ／ｍ２ｈ、流動層空気Ａ２の流量は１５００ｍ３Ｎ／ｍ２ｈであった）、検出された１２％換算ＣＯ濃度は１３ｐｐｍとなった。【００６４】
表２に示す例では、移動層２１の制御目標温度が流動層２２の制御目標温度よりも所定の温度低くなる流量の移動層空気Ａ１を移動層２１に供給している実施例３が、移動層２１の制御目標温度が流動層２２の制御目標温度と等しくなる流量の移動層空気Ａ１を移動層２１に供給している比較例２よりも、１２％換算ＣＯ濃度が７７％程低下した。このことは、実施例３では、比較例２よりも、不完全燃焼が抑制され、燃焼が安定していることを示唆している。【００６５】
図６Ａおよび６Ｂに、一酸化炭素及び酸素の濃度の経時的トレンドデータを示す。図６Ａは上記実施例２の一酸化炭素及び酸素の濃度の経時的トレンドデータを示し、図６Ｂは上記比較例１の一酸化炭素及び酸素の濃度の経時的トレンドデータを示す。図６Ａ中、実線で表されている線Ｌ１Ａは一酸化炭素濃度を示し、破線で表されている線Ｌ２Ａは酸素濃度を示している。図６Ｂ中、実線で表されている線Ｌ１Ｂは一酸化炭素濃度を示し、破線で表されている線Ｌ２Ｂは酸素濃度を示している。図６Ａと図６Ｂを比較すると明らかなように、比較例１の線Ｌ１Ｂは、大きなピークが散見され、実施例２の線Ｌ１Ａよりも全体的に数値が大きくなっている。また、実施例２の線Ｌ２Ａは、比較例１の線Ｌ２Ｂよりも振れ幅が小さく、このことは、実施例２の方が比較例１よりも燃焼が安定していることを示している。総合的に考察すると、実施例２の方が比較例１よりも燃焼が安定して一酸化炭素の発生が抑制されたことが明らかとなり、燃焼が不安定になりがちな廃棄物Ｗの燃焼をより安定的に行えることが明らかとなった。
【産業上の利用可能性】
【００６６】
本発明は、燃焼が不安定になりがちな都市ごみ等の質や量が不均一な廃棄物について適切な処理を継続して行うことができる流動床炉及び廃棄物の処理方法に適用できる。
【符号の説明】
【００６７】
１    流動床炉
１１  移動層床板
１１ｈ  移動層給気口
１２  流動層床板
１２ｈ  流動層給気口
２０  流動床
２０Ｍ  流動媒体
２１  移動層
２２  流動層
２５  フリーボード
３１  移動層温度計
３２  流動層温度計
５０  移動層空気供給手段
５１  移動層空気管
５２  移動層空気調節弁
６０  流動層空気供給手段
６１  流動層空気管
６２  流動層空気調節弁
７０  流動化空気供給手段
８０  制御装置
Ａ１  移動層空気
Ａ２  流動層空気
Ｗ    廃棄物
Ｗｃ  未燃物（チャー）
Ｗｎ  不燃物
Ｗｒ  熱分解残渣
【図１】
2012066802.tif 000005
【図２Ａ】
2012066802.tif 000006
【図２Ｂ】
2012066802.tif 000007
【図３】
2012066802.tif 000008
【図４】
2012066802.tif 000009
【図５Ａ】
2012066802.tif 000010
【図５Ｂ】
2012066802.tif 000011
【図６Ａ】
2012066802.tif 000012
【図６Ｂ】
2012066802.tif 000013
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
投入された廃棄物を流動媒体中に取り込んで、前記廃棄物を前記流動媒体と共に下方に移動させる移動層と、前記流動媒体を上方へ移動させる流動層とを有し、前記流動媒体が前記移動層と前記流動層との間を循環する流動床と；
前記移動層の前記流動媒体を流動させる移動層用気体を供給する移動層気体供給口が形成された移動層床板と；
前記流動層の前記流動媒体を流動させると共に酸素を含む流動層用気体を供給する流動層気体供給口が形成された流動層床板と；
前記移動層に前記移動層用気体を送る移動層用気体供給手段であって、前記移動層用気体の流量を調節可能な移動層用気体供給手段と；
前記流動層に前記流動層用気体を送る流動層用気体供給手段であって、前記流動層用気体の流量を調節可能な流動層用気体供給手段と；
前記移動層の温度を検出する移動層温度検出器と；
前記流動層の温度を検出する流動層温度検出器と；
前記流動層用気体供給手段により前記流動層に供給する前記流動層用気体の流量を調節して、前記流動層温度検出器で検出される温度が所定の温度となるように前記流動層の温度を制御し、かつ、前記移動層用気体供給手段により前記移動層に供給する前記移動層用気体の流量を調節して、前記移動層温度検出器で検出される温度が前記流動層温度検出器で検出される温度よりも所定の温度低くなるように前記移動層の温度を制御する制御装置とを備える；
流動床炉。
【請求項２】
前記流動層の所定の温度は、５００℃〜６５０℃である請求項１に記載の流動床炉。
【請求項３】
前記流動層と前記移動層の所定の温度差は、３０℃〜１００℃である請求項１に記載の流動床炉。
【請求項４】
垂直断面において前記流動層が前記移動層の両脇に設けられ；
前記垂直断面において、前記移動層床板が、高い中央部から両脇の前記流動層に向かってそれぞれ下がるように山形に形成されると共に、隣接する前記移動層床板と前記流動層床板とが連続して配置された；
請求項１に記載の流動床炉。
【請求項５】
前記垂直断面における前記移動層床板の中央部が、前記移動層に不燃物が堆積することを防ぐことができる勾配に形成された；
請求項４に記載の流動床炉。
【請求項６】
流動媒体が下降する移動層と流動媒体が上昇する流動層との間を前記流動媒体が循環する流動床で廃棄物を処理する方法であって；
前記移動層に移動層用気体を供給し、前記流動層に流動層用気体を供給する気体供給工程と；
廃棄物を前記移動層に投入する廃棄物投入工程と；
前記流動層の温度が所定の温度となるように、前記流動層に供給する前記流動層用気体の流量を調節する流動層用気体流量調節工程と；
前記移動層の温度が前記流動層の温度よりも所定の温度低くなるように、前記移動層に供給する前記移動層用気体の流量を調節する移動層用気体流量調節工程とを備える；
廃棄物の処理方法。
【請求項７】
前記流動層の所定の温度は、５００℃〜６５０℃である請求項６に記載の廃棄物の処理方法。
【請求項８】
前記流動層と前記移動層の所定の温度差は、３０℃〜１００℃である請求項６に記載の廃棄物の処理方法。
【請求項９】
投入された前記廃棄物を、加熱された前記流動媒体により前記移動層で熱分解して熱分解残渣を生成し、前記熱分解残渣の少なくとも一部を前記流動層で燃焼させる熱反応工程を備えた請求項６に記載の廃棄物の処理方法。
【手続補正２】
【補正対象書類名】明細書
【補正対象項目名】０００７
【補正方法】変更
【補正の内容】
【０００７】
上記目的を達成するために、本発明の第１の態様に係る流動床炉は、例えば図１及び図２に示すように、投入された廃棄物Ｗを流動媒体２０Ｍ中に取り込んで、廃棄物Ｗを流動媒体２０Ｍと共に下方に移動させる移動層２１と、流動媒体２０Ｍを上方へ移動させる流動層２２とを有し、流動媒体２０Ｍが移動層２１と流動層２２との間を循環する流動床２０と；移動層２１の流動媒体２０Ｍを流動させる移動層用気体Ａ１を供給する移動層気体供給口１１ｈ（図２参照）が形成された移動層床板１１と；流動層２２の流動媒体２０Ｍを流動させると共に酸素を含む流動層用気体Ａ２を供給する流動層気体供給口１２ｈ（図２参照）が形成された流動層床板１２と；移動層２１に移動層用気体Ａ１を送る移動層用気体供給手段５０、７０であって、移動層用気体Ａ１の流量を調節可能な移動層用気体供給手段５０、７０と；流動層２２に流動層用気体Ａ２を送る流動層用気体供給手段６０、７０であって、流動層用気体Ａ２の流量を調節可能な流動層用気体供給手段６０、７０と；移動層２１の温度を検出する移動層温度検出器３１と；流動層２２の温度を検出する流動層温度検出器３２と；流動層用気体供給手段６０、７０により流動層２２に供給する流動層用気体Ａ２の流量を調節して、流動層温度検出器３２で検出される温度が所定の温度となるように流動層２２の温度を制御し、かつ、移動層用気体供給手段５０、７０により移動層２１に供給する移動層用気体Ａ１の流量を調節して、移動層温度検出器３１で検出される温度が流動層温度検出器３２で検出される温度よりも所定の温度低くなるように移動層２１の温度を制御する制御装置８０とを備える。
【手続補正３】
【補正対象書類名】明細書
【補正対象項目名】００１４
【補正方法】変更
【補正の内容】
【００１４】
上記目的を達成するために、本発明の第２の態様に係る廃棄物の処理方法は、例えば図１及び図４を参照して示すと、流動媒体２０Ｍが下降する移動層２１と流動媒体２０Ｍが上昇する流動層２２との間を流動媒体２０Ｍが循環する流動床２０で廃棄物Ｗを処理する方法であって；移動層２１に移動層用気体Ａ１を供給し、流動層２２に流動層用気体Ａ２を供給する気体供給工程（ＳＴ１）と；廃棄物Ｗを移動層２１に投入する廃棄物投入工程（ＳＴ４）と；流動層２２の温度が所定の温度となるように流動層２２に供給する流動層用気体Ａ２の流量を調節する流動層用気体流量調節工程（ＳＴ５〜ＳＴ８）と；移動層２１の温度が流動層２２の温度よりも所定の温度低くなるように移動層２１に供給する移動層用気体Ａ１の流量を調節する移動層用気体流量調節工程（ＳＴ９〜ＳＴ１２）とを備える。
【手続補正４】
【補正対象書類名】明細書
【補正対象項目名】００１７
【補正方法】変更
【補正の内容】
【００１７】
また、本発明の好ましい態様に係る廃棄物の処理方法では、前記流動層と前記移動層の所定の温度差は、３０℃〜１００℃である。
本発明によれば、移動層の温度が流動層の温度よりも３０℃〜１００℃低くなるように制御するので、移動層での廃棄物の処理をできるだけ緩慢に行うことができるため、燃焼が不安定になりがちな廃棄物の適切な処理を継続して行うことができる。
また、本発明の好ましい態様に係る廃棄物の処理方法では、投入された前記廃棄物を、加熱された前記流動媒体により前記移動層で熱分解して熱分解残渣を生成し、前記熱分解残渣の少なくとも一部を前記流動層で燃焼させる熱反応工程を備えた。
【国際調査報告】
2012066802.tif 000014
2012066802.tif 000015
2012066802.tif 000016
2012066802.tif 000017